(57)【要約】【課題】  波長が異なる３つのレーザー光によって異なる規格の光ディスクに記録されている信号の読み出し動作を行う光ピックアップ装置を提供する。【解決手段】  第１、第２及び第３レーザー光の光路合成を行うハーフミラー１７及び収差補正板１６を設け、また、収差補正板１６と２波長レーザーダイオード３との間に前記ハーフミラー１７にて発生する収差を補正する収差補正機能を備えたダイバージェントレンズ１８を設けたことを特徴とする。【選択図】  図１
2012155799.tif 000002
【特許請求の範囲】
【請求項１】
光ディスクの表面から信号記録層までの距離が短い第１光ディスクに記録されている信号の読み出し動作を行う第１波長のレーザー光を放射するレーザーダイオード、光ディスクの表面から信号記録層までの距離が前記第１光ディスクより長い第２光ディスクに記録されている信号の読み出し動作を行う第２波長のレーザー光及び光ディスクの表面から信号記録層までの距離が前記第２光ディスクより長い第３光ディスクに記録されている信号の読み出し動作を行う第３波長のレーザー光の２つのレーザー光を放射する２波長レーザーダイオードが組み込まれた光ピックアップ装置において、前記２波長レーザーダイオードから放射される第２レーザー光及び第３レーザー光を対物レンズ方向へ反射させるとともに前記第１光ディスクの信号記録層、第２光ディスクの信号記録層及び第３光ディスクの信号記録層から反射される第１レーザー光、第２レーザー光及び第３レーザー光を光検出器方向へ透過させる収差補正板と、該第収差補正板と対物レンズとの間に設けられているとともに前記レーザーダイオードから放射される第１レーザー光、前記収差補正板にて反射された第２レーザー光及び第３レーザー光を対物レンズ方向へ導き、且つ前記第１光ディスクの信号記録層、第２光ディスクの信号記録層及び第３光ディスクの信号記録層から反射される第１レーザー光、第２レーザー光及び第３レーザー光を前記収差補正板方向へ導くハーフミラーと、該ハーフミラーと対物レンズとの間に設けられているとともに第１レーザー光、第２レーザー光及び第３レーザー光の偏光方向を直線偏光光から円偏光光へ、また円偏光光から直線偏光光へ変換する３波長対応型の１／４波長板とより成り、前記２波長レーザーダイオードと収差補正板との間に前記ハーフミラーにて発生する収差を補正する収差補正機能を備えたダイバージェントレンズを設けたことを特徴とする光ピックアップ装置。
【請求項２】
前記ハーフミラーと対物レンズとの間の光路内に３波長対応型のコリメートレンズを設け、該コリメートレンズの光軸方向への移動動作によって球面収差を補正するようにしたことを特徴とする請求項１に記載の光ピックアップ装置。
【発明の詳細な説明】
【技術分野】
【０００１】
本発明は、光ディスクに記録されている信号の読み出し動作や光ディスクに信号の記録動作をレーザー光によって行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが開発されている。
【０００４】
ＣＤ規格の光ディスクに記録されている信号の読み出し動作を行うレーザー光としては、波長が７８５ｎｍである赤外光が使用され、ＤＶＤ規格の光ディスクに記録されている信号の読み出し動作行うレーザー光としては、波長が６５５ｎｍの赤色光が使用されている。
【０００５】
また、ＣＤ規格の光ディスクにおける信号記録層と光ディスクの表面との間に設けられている透明な保護層の厚さは１．２ｍｍであり、この信号記録層から信号の読み出し動作を行うために使用される対物レンズの開口数は、０．４７と設定されている。そして、ＤＶＤ規格の光ディスクにおける信号記録層と光ディスクの表面との間に設けられている透明な保護層の厚さは０．６ｍｍであり、この信号記録層から信号の読み出し動作を行うために使用される対物レンズの開口数は、０．６と設定されている。
【０００６】
斯かるＣＤ規格及びＤＶＤ規格の光ディスクに対して、Ｂｌｕ−ｒａｙ規格の光ディスクに記録されている信号の読み出し動作を行うレーザー光としては、波長が短いレーザー光、例えば波長が４０５ｎｍの青紫色光が使用されている。
【０００７】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と設定されている。
【０００８】
Ｂｌｕ−ｒａｙ規格の光ディスクに設けられている信号記録層に記録されている信号の読み出し動作や該信号記録層に信号を記録するためにレーザー光を集光させることによって生成されるレーザースポットの径を小さくする必要がある。所望のレーザースポット形状を得るために使用される対物レンズは、開口数が大きくなるだけでなく焦点距離が短くなるので、対物レンズの曲率半径が小さくなるという特徴がある。
【０００９】
前述したＣＤ規格、ＤＶＤ規格及びＢｌｕ−ｒａｙ規格の全ての光ディスクに記録されている信号の読み出し動作や記録動作を行うことが出来る光ディスク装置が製品化されているが、斯かる光ディスク装置に組み込まれる光ピックアップ装置として、Ｂｌｕ−ｒａｙ規格の光ディスクに記録されている信号の読み出し動作を行う第１レーザー光を放射するレーザーダイオード、該レーザーダイオードから放射される第１レーザー光を信号記録層に集光させる第１対物レンズ、ＤＶＤ規格の光ディスクに記録されている信号の読み出し動作を行う第２レーザー光及びＣＤ規格の光ディスクに記録されている信号の読み出し動作を行う第３レーザー光を放射する２波長レーザーダイオード、そして第２レーザー光及び第３レーザー光を各光ディスクの信号記録層に集光させる第２対物レンズが組み込まれた光ピックアップ装置が一般に採用されている(特許文献１参照。)。
【００１０】
また、最近では、１つの対物レンズによって第１レーザー光、第２レーザー光及び第３レーザー光を異なる規格の光ディスクに設けられている信号記録層に集光させることが出来る技術が開発されている(特許文献２参照。)。
【先行技術文献】
【特許文献】
【００１１】
【特許文献１】特開２０１０−６１７８１号公報
【特許文献２】特開２００６−２３６４１４号公報
【発明の概要】
【発明が解決しようとする課題】
【００１２】
１つの波長のレーザー光を放射するレーザーダイオード、２つの波長のレーザー光を放射する２波長レーザーダイオード、そして２つの対物レンズまたは１つの対物レンズによって規格の異なる３つの光ディスクに記録されている信号の読み出し動作を行うように構成された光ピックアップ装置において、各レーザー光毎に光路を設けた場合には多くの光学部品を必要とするため高価になるだけでなく、小型化することが出来ないという問題がある。
【００１３】
斯かる問題を解決する方法として特許文献１に記載されているように光路を兼用するとともに光検出器を兼用する技術が提供されている。しかしながら、斯かる技術は光路合成を行う光学素子として２つの偏光ビームスプリッタを使用しているので製造価格が高くなるという問題がある。
【００１４】
斯かる問題を解決する方法として１つの偏光ビームスプリッタと１つのハーフミラーを利用して第１レーザー光、第２レーザー光及び第３レーザー光の光路を共通化することが行われている。斯かる構成の従来の光ピックアップ装置について図２及び図３を参照して説明する。
【００１５】
図３において、１は例えば波長が４０５ｎｍの青紫色光である第１レーザー光を生成放射するレーザーダイオード、２は前記レーザーダイオード１から放射される第１レーザー光が入射される第１回折格子であり、レーザー光を０次光であるメインビーム、＋１次光及び−１次光である２つのサブビームに分離する回折格子部２ａと入射されるレーザー光をＳ方向の直線偏光光に変換する１／２波長板２ｂとより構成されている。
【００１６】
３は例えば波長が６５５ｎｍの赤色光である第２レーザー光を生成放射する第１レーザー素子及び７８５ｎｍの赤外色光である第３レーザー光を生成放射する第２レーザー素子が同一のケース内に収納されている２波長レーザーダイオードである。
【００１７】
４は前記２波長レーザーダイオード３に組み込まれている第１レーザー素子から放射される第２レーザー光及び第２レーザー素子から放射される第３レーザー光が入射される第２回折格子であり、レーザー光を０次光であるメインビーム、＋１次光及び−１次光である２つのサブビームに分離する回折格子部４ａと入射されるレーザー光をＳ方向の直線偏光光に変換する１／２波長板４ｂとより構成されている。
【００１８】
５は前記２波長レーザーダイオード３から放射される第２レーザー光及び第３レーザー光が前記第２回折格子４を通して入射される位置に設けられているダイバージェントレンズであり、入射される発散光であるレーザー光の発散角度を調整する作用を成すものである。
【００１９】
６は前記第１回折格子２を透過して入射される第１レーザー光のＳ偏光光を反射するとともに後述する光路を通して光ディスクから反射されてくる第１レーザー光、第２レーザー光及び第３レーザー光の戻り光であるＰ偏光光を透過するハーフミラーである。７は前記第２回折格子４及びダイバージェントレンズ５を通して入射される第２レーザー光及び第３レーザー光のＳ偏光光を反射するとともに前記ハーフミラー６にて反射されて入射される第１レーザー光を透過させ、且つ光ディスクから反射されてくる第１レーザー光、第２レーザー光及び第３レーザー光の戻り光であるＰ偏光光を透過させる偏光ビームスプリッタである。
【００２０】
斯かる構成の偏光ビームスプリッタ７において、前記第２回折格子４及びダイバージェントレンズ５を通して入射される第２レーザー光及び第３レーザー光のＳ偏光光の一部を透過させるとともにハーフミラー６から反射されて入射される第１レーザー光のＳ偏光光の一部を反射させるように構成されている。
【００２１】
８は前記偏光ビームスプリッタ７を透過した第１レーザー光、該偏光ビームスプリッタ７にて反射された第２レーザー光及び第３レーザー光が入射される位置に設けられているとともに３つの異なる波長のレーザー光に対応して入射されるレーザー光を直線偏光光から円偏光光に、また反対に円偏光光から直線偏光光に変換する作用を成す３波長対応型の１／４波長板である。
【００２２】
９は前記１／４波長板８を透過したレーザー光が入射されるとともに入射されるレーザー光を平行光に変換するコリメートレンズであり、該コリメートレンズ９の光軸方向への変位動作によって光ディスクの保護層の厚さに基づいて生じる球面収差を補正するように構成されている。
【００２３】
１０は第１レーザー光を第１光ディスクＤ１(図２参照)に設けられている信号記録層Ｌ１に集光する第１対物レンズ、１０は第２レーザー光を第２光ディスクＤ２に設けられている信号記録層Ｌ２に集光させるとともに第３レーザー光を第３光ディスクＤ３に設けられている信号記録層Ｌ３に集光させる第２対物レンズである。斯かる構成において、第１対物レンズ１０と第２対物レンズ１１とは、例えば４本の支持ワイヤーによって光ディスクの面に対して直角方向であるフォーカシング方向への変位動作及び光ディスクの径方向であるトラッキング方向への変位動作を行うことが出来るように支持されているレンズホルダーと呼ばれる部材に搭載されている。
【００２４】
前記コリメートレンズ９を透過した第１レーザー光、第２レーザー光及び第３レーザー光は、図２に示す光学系によって第１対物レンズ１０及び第２対物レンズ１１に導かれるように構成されている。図２において、１２は波長選択性素子であり、第１レーザー光を透過させるとともに第２レーザー光及び第３レーザー光を第２対物レンズ１１方向へ反射させるように構成されている。１３は前記波長選択性素子１２を透過した第１レーザー光を第１対物レンズ１０方向へ反射させる立ち上げミラーである。斯かる構成は特許文献１に記載されている技術と同一である。
【００２５】
斯かる構成において、コリメートレンズ９を透過した第１レーザー光は、前記波長選択性素子１２を透過するとともに立ち上げミラー１３にて反射されて第１対物レンズ１０に入射されることになる。このようにして第１対物レンズ１０に入射された第１レーザー光は、該第１対物レンズ１０の集光動作によって第１光ディスクＤ１に設けられている信号記録層Ｌ１に集光されることになる。
【００２６】
また、コリメートレンズ９を透過した第２レーザー光は、前記波長選択性素子１３にて反射されて第２対物レンズ１１に入射されることになる。このようにして第２対物レンズ１１に入射された第２レーザー光は、該第２対物レンズ１１の集光動作によって第２光ディスクＤ２に設けられている信号記録層Ｌ２に集光されることになる。そして、コリメートレンズ９を透過した第３レーザー光は、前記波長選択性素子１３にて反射されて第２対物レンズ１１に入射されることになる。このようにして第２対物レンズ１１に入射された第３レーザー光は、該第２対物レンズ１１の集光動作によって第３光ディスクＤ３に設けられている信号記録層Ｌ３に集光されることになる。
【００２７】
斯かる構成において、レーザーダイオード１から放射された第１レーザー光は、第１回折格子２、ハーフミラー６、偏光ビームスプリッタ７、１／４波長板８、コリメートレンズ９、波長選択性素子１２及び立ち上げミラー１３を介して第１対物レンズ１０に入射された後、該第１対物レンズ１０の集光動作によって第１光ディスクＤ１に設けられている信号記録層Ｌ１に集光スポットとして照射されるが、前記信号記録層Ｌ１に照射された第１レーザー光は該信号記録層Ｌ１にて戻り光として反射されることになる。
【００２８】
また、２波長レーザーダイオード３の第１レーザー素子から放射された第２レーザー光は、第２回折格子４、ダイバージェントレンズ５、偏光ビームスプリッタ７、１／４波長板８、コリメートレンズ９及び波長選択性素子１３を介して第２対物レンズ１１に入射された後、該第２対物レンズ１１の集光動作によって第２光ディスクＤ２に設けられている信号記録層Ｌ２に集光スポットとして照射されるが、前記信号記録層Ｌ２に照射された第２レーザー光は該信号記録層Ｌ２にて戻り光として反射されることになる。
【００２９】
そして、２波長レーザーダイオード３の第２レーザー素子から放射された第３レーザー光は、第２回折格子４、ダイバージェントレンズ５、偏光ビームスプリッタ７、１／４波長板８、コリメートレンズ９及び波長選択性素子１２を介して第２対物レンズ１１に入射された後、該第２対物レンズ１１の集光動作によって第３光ディスクＤ３に設けられている信号記録層Ｌ３に集光スポットとして照射されるが、前記信号記録層Ｌ３に照射された第３レーザー光は該信号記録層Ｌ３にて戻り光として反射されることになる。
【００３０】
第１光ディスクＤ１の信号記録層Ｌ１から反射された第１レーザー光の戻り光は、第１対物レンズ１０、立ち上げミラー１３、波長選択性素子１２、コリメートレンズ９、１／４波長板８及び偏光ビームスプリッタ７を通してハーフミラー６に入射される。このようにしてハーフミラー６に入射される戻り光は、前記１／４波長板８による位相変更動作によってＰ方向の直線偏光光に変更されている。従って、斯かる第１レーザー光の戻り光は前記ハーフミラー６にて反射されることはなく、制御用レーザー光として該ハーフミラー６を透過することになる。
【００３１】
また、第２光ディスクＤ２の信号記録層Ｌ２から反射された第２レーザー光の戻り光は、第２対物レンズ１１、波長選択性素子１２、コリメートレンズ９、１／４波長板８及び偏光ビームスプリッタ７を通してハーフミラー６に入射される。このようにしてハーフミラー６に入射される戻り光は、前記１／４波長板８による位相変更動作によってＰ方向の直線偏光光に変更されている。従って、斯かる第２レーザー光の戻り光は前記ハーフミラー６にて反射されることはなく、制御用レーザー光として該ハーフミラー６を透過することになる。
【００３２】
そして、第３光ディスクＤ３の信号記録層Ｌ３から反射された第３レーザー光の戻り光は、第２対物レンズ１１、波長選択性素子１２、コリメートレンズ９、１／４波長板８及び偏光ビームスプリッタ７を通してハーフミラー６に入射される。このようにしてハーフミラー６に入射される戻り光は、前記１／４波長板８による位相変更動作によってＰ方向の直線偏光光に変更されている。従って、斯かる第３レーザー光の戻り光は前記ハーフミラー６にて反射されることはなく、制御用レーザー光として該ハーフミラー６を透過することになる。
【００３３】
１４は前記ハーフミラー６を透過した制御用レーザー光が入射されるＡＳ板と呼ばれる収差補正板であり、該ハーフミラー６にて生成される非点収差の大きさをフォーカスエラー信号を生成するために適した大きさになるように拡大するとともに非点収差の発生する方向を設定する作用を有し、且つ前記ハーフミラー６にて発生するコマ収差を補正する作用を成すものである。１５は前記収差補正板１４を通して制御用レーザー光が照射される３波長対応の光検出器であり、周知の４分割センサー等が設けられており、メインビームの照射動作によって光ディスクの信号記録層に記録されている信号の読み出し動作に伴う信号生成動作及び非点収差法によるフォーカシング制御動作を行うためのフォーカスエラー信号生成動作、そして２つのサブビームの照射動作によってトラッキング制御動作を行うためのトラッキングエラー信号生成動作を行うように構成されている。斯かる各種の信号生成のための制御動作は、周知であるので、その説明は省略する。
【００３４】
前述したようにレーザーダイオード１から放射される第１レーザー光の第１光ディスクＤ１の信号記録層Ｌ１までの往路、２波長レーザーダイオード３から放射される第２レーザー光の第２光ディスクＤ２の信号記録層Ｌ２までの往路及び２波長レーザーダイオード３から放射される第３レーザー光の第３光ディスクＤ３の信号記録層Ｌ３までの往路について比較すると、偏光ビームスプリッタ７から波長選択性素子１２までの光路を兼用していることがわかる。
【００３５】
そして、第１光ディスクＤ１の信号記録層Ｌ１から反射される第１レーザー光の戻り光の光検出器１５までの復路、第２光ディスクＤ２の信号記録層Ｌ２から反射される第２レーザー光の戻り光の光検出器１５までの復路及び第３光ディスクＤ３の信号記録層Ｌ３から反射される第３レーザー光の戻り光の光検出器１５までの復路について比較すると、波長選択性素子１２から光検出器１５までの光路を兼用していることがわかる。
【００３６】
図３に示した従来の光ピックアップ装置は、異なる波長のレーザー光を光ディスクの信号記録層に導く往路及び光ディスクの信号記録層から反射される戻り光を光検出器１５に導く復路を兼用するために光路を合成する光学部品として偏光ビームスプリッタ７を使用しているので、高価になるという問題がある。
【００３７】
本発明は、斯かる問題を解決することが出来る光ピックアップ装置を提供しようとするものである。
【課題を解決するための手段】
【００３８】
本発明は、光ディスクの表面から信号記録層までの距離が短い第１光ディスクに記録されている信号の読み出し動作を行う第１波長のレーザー光を放射するレーザーダイオード、光ディスクの表面から信号記録層までの距離が前記第１光ディスクより長い第２光ディスクに記録されている信号の読み出し動作を行う第２波長のレーザー光及び光ディスクの表面から信号記録層までの距離が前記第２光ディスクより長い第３光ディスクに記録されている信号の読み出し動作を行う第３波長のレーザー光の２つのレーザー光を放射する２波長レーザーダイオードが組み込まれた光ピックアップ装置において、前記２波長レーザーダイオードから放射される第２レーザー光及び第３レーザー光を対物レンズ方向へ反射させるとともに前記第１光ディスクの信号記録層、第２光ディスクの信号記録層及び第３光ディスクの信号記録層から反射される第１レーザー光、第２レーザー光及び第３レーザー光を光検出器方向へ透過させる収差補正板と、該第収差補正板と対物レンズとの間に設けられているとともに前記レーザーダイオードから放射される第１レーザー光、前記収差補正板にて反射された第２レーザー光及び第３レーザー光を対物レンズ方向へ導き、且つ前記第１光ディスクの信号記録層、第２光ディスクの信号記録層及び第３光ディスクの信号記録層から反射される第１レーザー光、第２レーザー光及び第３レーザー光を前記収差補正板方向へ導くハーフミラーと、該ハーフミラーと対物レンズとの間に設けられているとともに第１レーザー光、第２レーザー光及び第３レーザー光の偏光方向を直線偏光光から円偏光光へ、また円偏光光から直線偏光光へ変換する３波長対応型の１／４波長板とより成り、前記２波長レーザーダイオードと収差補正板との間に前記ハーフミラーにて発生する収差を補正する収差補正機能を備えたダイバージェントレンズを設けたことを特徴とするものである。
【００３９】
また、本発明は、前記ハーフミラーと対物レンズとの間の光路内に３波長対応型のコリメートレンズを設け、該コリメートレンズの光軸方向への移動動作によって球面収差を補正するようにしたことを特徴とするものである。
【発明の効果】
【００４０】
本発明は、波長が異なる第１、第２及び第３レーザー光によって規格の異なる第１、第２及び第３光ディスクに設けられている信号記録層に集光させることによって各信号記録層に記録されている信号の読み出し動作を行うように構成された光ピックアップ装置において、光路合成を行う光学素子としてハーフミラーを使用するようにしたので、プリズム型の偏光ビームスプリッタを使用する場合と比較して製造価格を下げることが出来る。
【００４１】
また、本発明は、ハーフミラーを光路合成手段として利用しただけでなく収差補正機能を備えたダイバージェントレンズによってハーフミラーで発生する非点収差を相殺するようにしたので、光学構成を簡潔にすることが出来る。
【図面の簡単な説明】
【００４２】
【図１】本発明に係る光ピックアップ装置の一実施例を示す概略図である。
【図２】本発明に係る光ピックアップ装置の実施例の一部を示す図である。
【図３】従来の光ピックアップ装置の一実施例を示す概略図である。
【発明を実施するための形態】
【００４３】
単一のレーザー光を生成するレーザーダイオード及び異なる波長の２つのレーザー光を生成する２波長レーザーダイオードから放射されるレーザー光を利用して異なる規格の光ディスクに設けられている信号記録層に記録されている信号の読み出し動作を行うように構成された光ピックアップ装置に関するものである。
【実施例１】
【００４４】
図１は本発明の光ピックアップ装置の一実施例であり、図１及び図２を参照して本発明について説明する。尚、図３に示した光ピックアップ装置と同一の作用を成す部品には同一の符号を付している。
【００４５】
１６は２波長レーザーダイオード３から放射される第２レーザー光及び第３レーザー光が第２回折格子４を通して入射されるとともに該第２レーザー光及び第３レーザー光を対物レンズ方向へ反射させ、且つ光検出器１５に照射される制御用レーザー光に付加される非点収差等を補正する収差補正板であり、Ｓ偏光光を反射させ、Ｐ偏光光を透過させるように構成されている。
【００４６】
１７は前記レーザーダイオード１から放射された第１レーザー光が第１回折格子２を通して入射されるとともに該第１レーザー光を対物レンズの方向へ反射させ、且つ前記収差補正板１６にて反射された第２レーザー光及び第３レーザー光を対物レンズ方向へ透過させるハーフミラーであり、各光ディスクから反射される第１レーザー光、第２レーザー光及び第３レーザー光の戻り光を前記光検出器１５の方向へ透過させるように構成されている。
【００４７】
１８は２波長レーザーダイオード３が透過する第２回折格子４と収差補正板１６との間に設けられているとともに収差補正機能を備えたダイバージェントレンズであり、第２レーザー光及び第３レーザー光の発散角度を調整する機能に加えて前記ハーフミラー１７にて発生する非点収差及びコマ収差を相殺して補正するように設計されている。
【００４８】
斯かる構成において、第２レーザー光及び第３レーザー光がハーフミラー１７を透過するときに発生する非点収差及びコマ収差をダイバージェントレンズ１８を透過するときに発生する収差によって相殺するように構成されている。即ち、ハーフミラー１７にて発生する非点収差の方向と反対になる非点収差を発生するような光学設計をダイバージェントレンズ１８に対して行えば良い。斯かる収差補正機能付きのダイバージェントレンズ１８を第２レーザー光及び第３レーザー光の光路内に設けることによって非点収差を相殺することが出来るので、第２対物レンズ１１に入射される第２レーザー光及び第３レーザー光に含まれる収差を取り除くことが出来る。従って、第２光ディスク及び第３光ディスクに記録されている信号の読み出し動作を良好に行うことが出来る光ピックアップ装置を提供することが出来る。
【００４９】
斯かる構成において、レーザーダイオード１から生成放射される第１レーザー光は、第１回折格子２、ハーフミラー１７、１／４波長板８、コリメートレンズ９、波長選択性素子１２、立ち上げミラー１３を介して第１対物レンズ１０に導かれ、該第１対物レンズ１０の集光動作によって第１光ディスクＤ１の信号記録層Ｌ１に集光される。
【００５０】
また、前記第１光ディスクＤ１の信号記録層Ｌ１から反射される第１レーザー光の戻り光は、第１対物レンズ１０、立ち上げミラー１３、波長選択性素子１２、コリメートレンズ９、１／４波長板８、ハーフミラー１７、収差補正板１６及びＡＳ板１４を介して光検出器１５に照射される。
【００５１】
このように、レーザーダイオード１から放射される第１レーザー光の第１光ディスクＤ１の信号記録層Ｌ１への集光動作及び該信号記録層Ｌ１から反射される戻り光の光検出器１５への照射動作が行われるので、フォーカス制御動作及びトラッキング制御動作等を行うことによって第１光ディスクＤ１の信号記録層Ｌ１に記録されている信号の読み出し動作を行うことが出来る。
【００５２】
次に、２波長レーザーダイオード３から放射される第２レーザー光は、第２回折格子４、ダイバージェントレンズ１８、収差補正板１６、ハーフミラー１７、１／４波長板８、コリメートレンズ９、波長選択性素子１２を介して第２対物レンズ１１に導かれ、該第２対物レンズ１１の集光動作によって第２光ディスクＤ２の信号記録層Ｌ２に集光される。
【００５３】
また、前記第２光ディスクＤ２の信号記録層Ｌ２から反射される第２レーザー光の戻り光は、第２対物レンズ１１、波長選択性素子１２、コリメートレンズ９、１／４波長板８、ハーフミラー１７、収差補正板１６及びＡＳ板１４を介して前記光検出器１５に照射される。
【００５４】
このように、２波長レーザーダイオード３から放射される第２レーザー光の第２光ディスクＤ２の信号記録層Ｌ２への集光動作及び該信号記録層Ｌ２から反射される戻り光の光検出器１５への照射動作が行われるので、フォーカス制御動作及びトラッキング制御動作等を行うことによって第２光ディスクＤ２の信号記録層Ｌ２に記録されている信号の読み出し動作を行うことが出来る。
【００５５】
また、２波長レーザーダイオード３から放射される第３レーザー光は、第２回折格子４、収差補正板１６、ハーフミラー１７、１／４波長板８、コリメートレンズ９、波長選択性素子１２を介して第２対物レンズ１１に導かれ、該第２対物レンズ１１の集光動作によって第３光ディスクＤ３の信号記録層Ｌ３に集光される。
【００５６】
また、前記第３光ディスクＤ３の信号記録層Ｌ３から反射される第３レーザー光の戻り光は、第２対物レンズ１１、波長選択性素子１２、コリメートレンズ９、１／４波長板８、ハーフミラー１７、収差補正板１６及びＡＳ板１４を介して前記光検出器１５に照射される。
【００５７】
このように、２波長レーザーダイオード３から放射される第３レーザー光の第３光ディスクＤ３の信号記録層Ｌ３への集光動作及び該信号記録層Ｌ３から反射される戻り光の光検出器１５への照射動作が行われるので、フォーカス制御動作及びトラッキング制御動作等を行うことによって第３光ディスクＤ３の信号記録層Ｌ３に記録されている信号の読み出し動作を行うことが出来る。
【００５８】
前述したようにハーフミラー１７にて発生する第２レーザー光及び第３レーザー光の非点収差及びコマ収差をダイバージェントレンズ１８が備えた収差補正機能によって非点収差及びコマ収差を相殺するようにしたので、光ディスクに記録されている信号を読み出す光ピックアップ装置としての機能を安価な構成にて得ることが出来る。
【００５９】
前述したように第１光ディスクＤ１、第２光ディスクＤ２及び第３光ディスクＤ３に設けられている信号記録層Ｌ１、Ｌ２、Ｌ３に各レーザー光を集光させる動作等は行われるが、各光ディスクの信号記録層と光ディスクの入射面との間に設けられている透明な保護層の厚さの相違等によって発生する球面収差の補正動作は、コリメートレンズ９を光軸方向へモーター等の回転動作を利用して変位させることによって行われるように構成されている。斯かるコリメートレンズ９の変位動作によって球面収差を補正する技術は周知であるので、その説明は省略する。
【００６０】
斯かるコリメートレンズ９の変位動作によって球面収差を補正することが出来るので、光路合成を行うように構成された光ピックアップ装置の信号読み出し特性を向上させることが出来る。
【産業上の利用可能性】
【００６１】
ＣＤ規格、ＤＶＤ規格及びＢｌｕ−ｒａｙ規格の光ディスク記録されている信号の読み出し動作を行う光ピックアップ装置に実施した場合について説明したが、その他の異なる規格の光ディスクに記録されている信号の読み出し動作を行うことが出来る光ピックアップ装置に実施することも出来る。
【００６２】
また、本実施例では、２つの対物レンズを備えた光ピックアップ装置に実施した場合について説明したが、特許文献２に記載されているような１つの対物レンズにて３つのレーザー光を各光ディスクの設けられている信号記録層に集光させるように構成された光ピックアップ装置に実施することも出来る。尚、１つの対物レンズにて３つのレーザー光を各光ディスクに設けられている信号記録層に集光させるように構成された光ピックアップ装置では、光検出器に照射される戻り光の光検出器に対する角度をＡＳ板やアナモレンズを使用することなくフォーカスエラー信号を生成するために適した角度になるように設定することが出来るので、光学構成を簡潔にすることが出来るという利点を有している。
【符号の説明】
【００６３】
１      レーザーダイオード
３      ２波長レーザーダイオード
８      １／４波長板
９      コリメートレンズ
１０    第１対物レンズ
１１    第２対物レンズ
１５    光検出器
１６    収差補正板
１７    ハーフミラー
１８    ダイバージェントレンズ
【図１】
2012155799.tif 000003
【図２】
2012155799.tif 000004
【図３】
2012155799.tif 000005